(57)【特許請求の範囲】
【請求項１】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理回路において、
前記映像信号のドットデータの階調が、予め設定した零近傍の値以下で、少なくとも２ドットの予め設定したドット数以上連続したことを検出する検出手段を備え、
前記検出手段によって、前記映像信号のドットデータの階調が、前記予め設定した零近傍の値以下で、前記予め設定したドット数以上連続したことが検出されたら、その零近傍の値以下で連続した範囲のドットそれぞれのドットデータに加算するディザ係数を全て零とすることを特徴とするマトリクス型表示装置の映像信号処理回路。
【請求項２】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理回路において、
前記それぞれの区画内で、全てのドットデータの階調が、予め設定した零近傍の値以下であることを検出する検出手段を備え、
前記検出手段によって、前記区画内の全てのドットデータの階調が前記予め設定した零近傍の値以下であることが検出されたら、前記区画内のそれぞれのドットデータに加算するディザ係数を全て零とすることを特徴とするマトリクス型表示装置の映像信号処理回路。
【請求項３】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理回路において、
前記それぞれの区画内で、全てのドットデータの階調が、予め設定した零近傍の値以下であるか否かを検出すると共に、全てのドットデータの階調が前記予め設定した零近傍の値以下であることが検出された区画が予め設定した区画数以上連続したことを検出する検出手段を備え、
前記検出手段によって、全てのドットデータの階調が前記予め設定した零近傍の値以下であることが検出された区画が前記予め設定した区画数以上連続したことが検出されたら、その連続した区画数それぞれの区画内のドットデータに加算するディザ係数を全て零とすることを特徴とするマトリクス型表示装置の映像信号処理回路。
【請求項４】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、
前記映像信号の個々のドットデータの階調を検出する第１の検出ステップと、前記映像信号のドットデータの階調が、予め設定した零近傍の値以下で、少なくとも２ドットの予め設定したドット数以上連続したことを検出する第２の検出ステップと、
前記第２の検出ステップによって、前記予め設定したドット数以上、前記予め設定した零近傍の値以下で連続したことが検出されたら、その零近傍の値以下で連続した範囲のドットそれぞれのドットデータに加算する前記所定のディザ係数を全て零に置き換える置き換えステップとを含むことを特徴とするマトリクス型表示装置の映像信号処理方法。
【請求項５】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、
前記映像信号の個々のドットデータの階調を検出する第１の検出ステップと、
前記それぞれの区画内で、全てのドットデータの階調が、予め設定した零近傍の値以下であることを検出する第２の検出ステップと、
前記第２の検出ステップによって、前記区画内の全てのドットデータの階調が前記予め設定した零近傍の値以下であることが検出されたら、前記区画内のそれぞれのドットデータに加算する前記所定のディザ係数を全て零に置き換える置き換えステップとを含むことを特徴とするマトリクス型表示装置の映像信号処理方法。
【請求項６】
複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、
前記映像信号の個々のドットデータの階調を検出する第１の検出ステップと、
前記それぞれの区画内で、全てのドットデータの階調が、予め設定した零近傍の値以下であるか否かを検出すると共に、全てのドットデータの階調が前記予め設定した零近傍の値以下であることが検出された区画が予め設定した区画数以上連続したことを検出する第２の検出ステップと、
前記第２の検出ステップによって、全てのドットデータの階調が前記予め設定した零近傍の値以下であることが検出された区画が前記予め設定した区画数以上連続したことが検出されたら、その連続した区画数それぞれの区画内のドットデータに加算する前記所定のディザ係数を全て零に置き換える置き換えステップとを含むことを特徴とするマトリクス型表示装置の映像信号処理方法。
【発明の詳細な説明】
【０００１】
【発明の属する技術分野】
本発明は、表示装置に用いられる誤差拡散処理方法に係り、特に、プラズマディスプレイパネル表示装置（ＰＤＰ），フィールドエミッションディスプレイ装置（ＦＥＤ），デジタルライトプロセッシングプロジェクタ（ＤＬＰ），エレクトロルミネッセンスディスプレイ（ＥＬ）等のように、デジタル的に限られた中間階調を表現する表示装置において、デジタル的に限られた中間階調を表現する際の階調特性を向上させることができるマトリクス型表示装置の映像信号処理回路及びその処理方法に関する。
【０００２】
【従来の技術】
映像信号を表示するマトリクス型表示装置の内、例えば、１フィールドを複数のサブフィールドに分割して階調表示するＰＤＰや、ＰＷＭ変調によって階調表示するＦＥＤ、さらにはＤＬＰ等の表示装置においては、駆動方法によってはデジタル的に制限された階調数でしか映像を表現することができない。また、ガンマ特性がかけられた映像信号に対し、逆ガンマ補正処理を施してリニアな階調に戻すことが必要である。
【０００３】
そこで、マトリクス型表示装置では、デジタル的に制限された階調数で映像を表示する際、逆ガンマ補正処理を施してリニアな階調に戻す際に損なわれる階調の直線性を滑らかにするために、一例としてディザ法を用いて多階調化処理を行っている。
【０００４】
ディザ法による多階調化処理は、隣接する複数個の画素（ドット）を１組としてディザマトリクスを構成し、損なわれた階調分の中間階調をこのディザマトリクス内の個々のディザ係数で表現するのが一般的な処理方法である。例えば、表示装置が６ビットの階調能力しかなく、８ビットのドットデータの上位６ビットにより階調表示する場合は、隣接する２×２ドットのディザマトリクスを構成し、そのディザマトリクス内で不足した２ビット分のノイズパターンを重畳することによって、視覚的な積分効果を利用して８ビット相当の階調表示を行う。
【０００５】
図７は、ディザ法を用いて多階調化処理を行う映像信号処理回路と逆ガンマ補正回路とを備えたマトリクス型表示装置の全体構成の一例を示している。ここでは、マトリクス型表示装置の一例としてＰＤＰとしている。図７において、映像信号は映像信号処理回路１００に入力され、後に詳述するディザ法によって多階調化が図られ、逆ガンマ補正回路２００に入力される。逆ガンマ補正回路２００は、入力された映像信号に逆ガンマ補正を施し、ＰＤＰ３００に入力する。なお、映像信号は、Ｒ，Ｇ，Ｂ信号である。従って、実際には、映像信号処理回路１００と逆ガンマ補正回路２００は、Ｒ，Ｇ，Ｂ信号で３系統必要である。
【０００６】
ここで、ＰＤＰ３００のパネル上のドットデータとディザ係数との対応について説明する。図８において、３０１はＰＤＰ３００のパネルを示しており、３０２はＲ，Ｇ，Ｂよりなる画素を構成するドットを示している。図８に示すように、パネル３０１は、Ｎ行×Ｍ列の複数のドット３０２より構成されており、ａ，ｂ，ｃ，ｄのディザ係数は、それぞれのドット３０２に印加するドットデータに対応して加算される。ここでは、簡略化のため、Ｒ，Ｇ，Ｂの１つの色のドットにてパネル３０１を構成するよう図示しているが、実際には、Ｒ，Ｇ，Ｂの各ドットが行方向に順次並んでパネル３０１を構成する。
【０００７】
本出願人は、ディザ法を用いて多階調化処理を行う映像信号処理回路１００について、映像信号の階調を複数の領域に分け、この複数の領域毎に適切なディザ係数パターンを加算するようにしたマトリクス型表示装置の映像信号処理回路を特願平１０−３１５７４３号（特開２０００−１４８０６８）にて提案した。特願平１０−３１５７４３号にて提案したマトリクス型表示装置の映像信号処理回路を図９に示す。
【０００８】
図９において、ディザマトリクスパターン発生器１は、一例として、ｎ×ｎドットのマトリクスからなるディザマトリクスパターン（以下、ディザパターン）を複数種類（ここでは、ｍ種類）発生する。なお、ここでは、ｍが３以上の如く図示しているが、ｍ＝２、即ち、２種類のディザパターンを発生するものであってもよい。ディザマトリクスパターン発生器１は、ＲＯＭで構成してもよく、あるいは、ソフトウェアによって構成することもできる。
【０００９】
ここで、ディザマトリクスパターン発生器１は、ディザ係数パターンそのもの、即ち、ディザパターン内の個々のディザ係数を発生するのではなく、ディザパターンの位置情報のみを発生している。さらに詳細には、ディザマトリクスパターン発生器１は、図８におけるパネル３０１のドット３０２における１つの区画（マトリクス）に対して、いかなる位置関係でディザ係数を対応させるかを表すパターンを発生するものである。従って、このディザマトリクスパターン発生器１の出力段の時点では、まだ、ディザパターン内の個々のディザ係数は決定されていない。
【００１０】
セレクタ２は、ディザマトリクスパターン発生器１からのｍ種類のディザパターンの１つを選択し、階調別ディザ係数発生回路５に入力する。階調別ディザ係数発生回路５と加算器３には、例えばデジタル変換された映像信号が入力される。階調別ディザ係数発生回路５は、入力された映像信号の階調を検出し、予め設定した階調以下の映像信号についてさらに複数の階調群に分け、その階調群毎で共通に、ディザパターン内の個々のディザ係数を設定する。このとき、予め設定した階調以上では、ディザパターン内の個々のディザ係数を全て０として設定する。なお、複数の階調群としたが１つの階調群であってもよい。
【００１１】
そして、階調別ディザ係数発生回路５は、セレクタ２によって選択されたディザパターンと、入力された映像信号の階調群とに対応して、ディザパターン内の個々のディザ係数を決定する。階調別ディザ係数発生回路５が発生したディザ係数は加算器３に入力される。加算器３は、入力された映像信号と階調別ディザ係数発生回路５が発生したディザ係数とを加算し、リミッタ４に入力する。リミッタ４は、加算器３の出力における原信号のビット数による値を超えた分（いわゆるアンダーフロー）を制限して出力する。なお、マトリクス型表示装置の階調能力に応じて、加算器３の出力のビット（下位ビット）を制限して出力してもよい。
【００１２】
図１０は、図９で用いるディザパターンの例である。図１０（Ａ），（Ｂ）において、ａ，ｂ，ｃ，ｄで示す４つのドットよりなる区画は、縦（行）×横（列）で２×２ドットのマトリクスによるディザパターンを示している。この２×２ドットのディザパターンは、図８で説明したように、ＰＤＰ３００におけるパネル３０１のドット３０２に印加するドットデータに対応した位置情報として設定される。
【００１３】
例えば、図１０（Ａ），（Ｂ）のディザパターン▲１▼では、奇数行のドットデータにはディザパターンａ，ｂ，ａ，ｂ，…が行頭のドットより順に加算され、偶数行のドットデータには、ディザパターンｃ，ｄ，ｃ，ｄ，…が行頭のドットより順に加算される。図１０（Ａ）のディザパターン▲２▼では、奇数行のドットデータにはディザパターンｄ，ｃ，ｄ，ｃ，…が行頭のドットより順に加算され、偶数行のドットデータには、ディザパターンｂ，ａ，ｂ，ａ，…が行頭のドットより順に加算される。
【００１４】
図１０（Ａ）に示す例では、ａ，ｂ，ｃ，ｄとしたディザパターン▲１▼と、ｄ，ｃ，ｂ，ａとしたディザパターン▲２▼との２種類のパターンを用い、このディザパターン▲１▼，▲２▼を例えば１フィールド毎に交互に切り換えるようにしたものである。
【００１５】
図１０（Ｂ）に示す例では、ａ，ｂ，ｃ，ｄとしたディザパターン▲１▼と、ｄ，ａ，ｃ，ｂとしたディザパターン▲２▼と、ｃ，ｄ，ｂ，ａとしたディザパターン▲３▼と、ｂ，ｃ，ａ，ｄとしたディザパターン▲４▼との４種類のパターンを用い、このディザパターン▲１▼〜▲４▼を例えばフィールド周期で規則的に巡回させて切り換えるようにしたものである。なお、図１０に示す例は、ディザパターン▲１▼をパネル３０１のドット３０２に対応させた状態を示している。
【００１６】
前述のように、加算器３に入力するディザパターンは、ディザマトリクスパターン発生器１から出力する時点では、ディザパターン内の個々のディザ係数は決定されていない。図１０のように、個々のディザ係数の位置情報のみが決定している。個々のディザ係数は、この位置情報を基にして、階調別ディザ係数発生回路５で最終的に決定する。以下に、その処理方法について詳細に説明する。
【００１７】
図１１は、階調別ディザ係数発生回路５で階調群毎に設定するディザパターン内の個々のディザ係数の一例を示したものである。ここでは、図１０（Ａ）のように、ディザパターン▲１▼，▲２▼の２種類のパターンを用いる場合について示している。この例では、２５６階調で入力される入力映像信号において、階調６３以下の階調についてディザ係数を設定する。階調６３以下を（Ａ）：階調０〜１５，（Ｂ）：階調１６〜３１，（Ｃ）：階調３２〜４７，（Ｄ）：階調４８〜６３，（Ｅ）：階調６４以上の５種類の階調群に分け、それぞれについて異なるディザ係数を設定している。
【００１８】
例えば、図１１（Ａ）の階調０〜１５においては、ディザパターンａ，ｂ，ｃ，ｄのディザ係数をそれぞれ５，３，−３，−５と設定し、図１１（Ｂ）の階調１６〜３１においては、ディザパターンａ，ｂ，ｃ，ｄのディザ係数をそれぞれ４，２，−２，−４と設定している。図１１（Ｃ）の階調３２〜４７においては、ディザパターンａ，ｂ，ｃ，ｄのディザ係数をそれぞれ３，１，−１，−３と設定し、図１１（Ｄ）における階調４８〜６３においては、ディザパターンａ，ｂ，ｃ，ｄのディザ係数をそれぞれ２，１，−１，−２と設定している。また、図１１（Ｅ）の階調６４以上においては、ディザパターンａ，ｂ，ｃ，ｄのディザ係数をそれぞれ０，０，０，０と設定している。ディザパターン▲１▼，▲２▼を構成する具体的なディザ係数は、図１１に示す如くである。
【００１９】
上記のディザパターンの一例では、正のディザ係数と負のディザ係数の双方を備え、１つのディザパターン内におけるディザ係数の総和が０となるようにしている。
【００２０】
上記の構成では、逆ガンマ補正処理を施した際に損なわれる階調の連続性を滑らかにすることを主な目的として、原信号（入力映像信号）にディザ係数を加算するので、隣接階調に対する視覚的な輝度差が大きく目立ちやすくなる低階調部のみにディザ係数を加算する。特に、サブフィールド分割により階調表現するＰＤＰ３００の場合では、この低階調部の中でも階調レベルが小さくなるに従って階調の損失の程度が大きくなる。従って、全ての低階調部において階調の連続性を向上させるため、ディザ係数の重み付けを階調レベル毎に可変し、階調が小さくなるに従って重み付け（即ち、係数の絶対値）を大きくしている。
【００２１】
図１２は、最終的に原信号に加算する２×２ドットのディザパターンにおける個々のディザ係数の決定方法の一例を示している。図１２は図１０（Ａ）におけるディザパターン▲１▼の場合である。この例では、図８におけるパネル３０１の第１〜２行，第１〜２列の２×２ドットのディザパターンにおける個々のディザ係数の決定方法を示している。パネル３０１の他の区画（マトリクス）でも全く同様である。
【００２２】
まず、図１０（Ａ）のディザパターン▲１▼を用いる場合において、図１２に示すように、第１行１列の階調が１２，第１行２列の階調が１８，第２行１列の階調が３３，第２行２列の階調が５７であるとする。このとき、第１行１列は、階調が１２であるので、図１１（Ａ）に示す５，３，−３，−５が選択され、その中で、ａの位置に相当するディザ係数５が選択される。第１行２列は、階調が１８であるので、図１１（Ｂ）に示す４，２，−２，−４が選択され、その中で、ｂの位置に相当するディザ係数２が選択される。
【００２３】
第２行１列は、階調が３３であるので、図１１（Ｃ）に示す３，１，−１，−３が選択され、その中で、ｃの位置に相当するディザ係数−１が選択される。第２行２列は、階調が５７であるので、図１１（Ｄ）に示す２，１，−１，−２が選択され、その中で、ｄの位置に相当するディザ係数−２が選択される。このようにして、最終的に決定されるディザパターンの個々のディザ係数は、５，２，−１，−２となる。
【００２４】
図１０（Ａ）のディザパターン▲２▼や図１０（Ｂ）に示すディザパターン▲１▼〜▲４▼を用いる場合も同様に、パネル３０１を構成するそれぞれドット３０２に印加するドットデータの階調に応じて個々のディザ係数を決定する。
【００２５】
このように、階調別ディザ係数発生回路５が、パネル３０１内でディザパターンを加算する１つの区画であるマトリクスを構成する個々のドットデータの階調を検出する。階調別ディザ係数発生回路５は階調検出手段としても動作している。なお、階調検出手段を階調別ディザ係数発生回路５とは別に設けてもよい。そして、検出したドットデータの階調に応じて、マトリクスのドットそれぞれで、図１１に示す具体的なディザ係数のディザパターン（ディザ係数パターン）を選択し、そのディザパターンより、マトリクスのドットの位置に対応したディザ係数を抽出する。次に、抽出したディザ係数を合成して１つのマトリクスに加算する最終的なディザパターンを生成する。
【００２６】
【発明が解決しようとする課題】
上記のマトリクス型表示装置の映像信号処理回路は、映像信号の階調を複数の領域に分け、この複数の領域毎に適切なディザ係数パターンを加算するようにしたので、階調特性が滑らかに平均的に変換され、隣接階調に対する視覚的な輝度差が大幅に減少し、階調の連続性を向上させることができ、低階調部における疑似輪郭状の画質妨害も効果的に削減できるため、より画質の良好な映像を表示することができる。
【００２７】
しかしながら、上記の映像信号処理回路は、隣接階調間における輝度段差の大きい低階調部では、映像信号に加算するディザ係数の重み付けを大きくしているため、例えば、画面の上下部分等がマスクされて全黒となっている信号や全体的に暗い画面が占める割合の多い画像等、映像信号の階調として、零または零近傍の値が連続している信号を含む場合には、表示画像として全黒となるはずの画像がノイズ混じりのように見えてしまう場合があるという問題点があった。
【００２８】
本発明は、このような問題点に鑑みなされたものであり、階調特性を適応的に滑らかにして階調の連続性を向上させ、全体的に低輝度な画面における目立ちやすい疑似輪郭状の画質妨害を効果的に低減することができると共に、映像信号の階調として零または零近傍の値が連続している場合であっても、黒の再現性を高めることができるマトリクス型表示装置の映像信号処理回路及び方法を提供することを目的とする。
【００２９】
【課題を解決するための手段】
本発明は、上述した従来の技術の課題を解決するため、以下の映像信号処理回路または方法を提供する。
（ａ）複数の画素がマトリクス状に形成されたパネル（３０１）に映像信号を入力するに際し、前記パネル内の画素を構成する複数のドット（３０２）をマトリクス状にした部分的な区画それぞれに対して、このそれぞれの区画のドットに印加するドットデータに所定のディザ係数を加算して前記映像信号の階調を補正するマトリクス型表示装置の映像信号処理回路において、前記映像信号のドットデータの階調が、予め設定した零近傍の値以下で、少なくとも２ドットの予め設定したドット数以上連続したことを検出する検出手段（１６）を備え、前記検出手段によって、前記予め設定したドット数以上、前記予め設定した零近傍の値以下で連続したことが検出されたら、その零近傍の値以下で連続した範囲のドットそれぞれのドットデータに加算するディザ係数を全て零とすることを特徴とするマトリクス型表示装置の映像信号処理回路。
（ｂ）複数の画素がマトリクス状に形成されたパネル（３０１）に映像信号を入力するに際し、前記パネル内の画素を構成する複数のドット（３０２）をマトリクス状にした部分的な区画それぞれに対して、このそれぞれの区画のドットに印加するドットデータに所定のディザ係数を加算して前記映像信号の階調を補正するマトリクス型表示装置の映像信号処理回路において、前記それぞれの区画内で、全てのドットデータの階調が、予め設定した零近傍の値以下であることを検出する検出手段（１７）を備え、前記検出手段によって、前記区画内の全てのドットデータの階調が前記予め設定した零近傍の値以下であることが検出されたら、前記区画内のそれぞれのドットデータに加算するディザ係数を全て零とすることを特徴とするマトリクス型表示装置の映像信号処理回路。
（ｃ）複数の画素がマトリクス状に形成されたパネル（３０１）に映像信号を入力するに際し、前記パネル内の画素を構成する複数のドット（３０２）をマトリクス状にした部分的な区画それぞれに対して、このそれぞれの区画のドットに印加するドットデータに所定のディザ係数を加算して前記映像信号の階調を補正するマトリクス型表示装置の映像信号処理回路において、前記それぞれの区画内で、全てのドットデータの階調が、予め設定した零近傍の値以下であるか否かを検出すると共に、全てのドットデータの階調が前記予め設定した零近傍の値以下であることが検出された区画が予め設定した区画数以上連続したことを検出する検出手段（１９）を備え、前記検出手段によって、全てのドットデータの階調が前記予め設定した零近傍の値以下であることが検出された区画が前記予め設定した区画数以上連続したことが検出されたら、その連続した区画数それぞれの区画内のドットデータに加算するディザ係数を全て零とすることを特徴とするマトリクス型表示装置の映像信号処理回路。
（ｄ）複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、前記映像信号の個々のドットデータの階調を検出する第１の検出ステップと、前記映像信号のドットデータの階調が、予め設定した零近傍の値以下で、少なくとも２ドットの予め設定したドット数以上連続したことを検出する第２の検出ステップと、前記第２の検出ステップによって、前記予め設定したドット数以上、前記予め設定した零近傍の値以下で連続したことが検出されたら、その零近傍の値以下で連続した範囲のドットそれぞれのドットデータに加算する前記所定のディザ係数を全て零に置き換える置き換えステップとを含むことを特徴とするマトリクス型表示装置の映像信号処理方法。
（ｅ）複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、前記映像信号の個々のドットデータの階調を検出する第１の検出ステップと、前記それぞれの区画内で、全てのドットデータの階調が、予め設定した零近傍の値以下であることを検出する第２の検出ステップと、前記第２の検出ステップによって、前記区画内の全てのドットデータの階調が前記予め設定した零近傍の値以下であることが検出されたら、前記区画内のそれぞれのドットデータに加算する前記所定のディザ係数を全て零に置き換える置き換えステップとを含むことを特徴とするマトリクス型表示装置の映像信号処理方法。
（ｆ）複数の画素がマトリクス状に形成されたパネルに映像信号を入力するに際し、前記パネル内の画素を構成する複数のドットをマトリクス状にした部分的な区画それぞれに対して、このそれぞれの区画のドットに印加するドットデータに所定のディザ係数を加算して前記映像信号の階調を補正するマトリクス型表示装置の映像信号処理方法において、前記映像信号の個々のドットデータの階調を検出する第１の検出ステップと、前記それぞれの区画内で、全てのドットデータの階調が、予め設定した零近傍の値以下であるか否かを検出すると共に、全てのドットデータの階調が前記予め設定した零近傍の値以下であることが検出された区画が予め設定した区画数以上連続したことを検出する第２の検出ステップと、前記第２の検出ステップによって、全てのドットデータの階調が前記予め設定した零近傍の値以下であることが検出された区画が前記予め設定した区画数以上連続したことが検出されたら、その連続した区画数それぞれの区画内のドットデータに加算する前記所定のディザ係数を全て零に置き換える置き換えステップとを含むことを特徴とするマトリクス型表示装置の映像信号処理方法。
【００３０】
【発明の実施の形態】
以下、本発明のマトリクス型表示装置の映像信号処理回路及び方法について、添付図面を参照して説明する。図１は本発明のマトリクス型表示装置の映像信号処理回路の第１実施例を示すブロック図、図２は図１中の零近傍データ連続検出回路１６の動作を説明するための図、図３は本発明のマトリクス型表示装置の映像信号処理回路の第２実施例を示すブロック図、図４は図３中の区画内零近傍検出回路１７の動作を説明するための図、図５は本発明のマトリクス型表示装置の映像信号処理回路の第３実施例を示すブロック図、図６は図５中の領域内零近傍検出回路１９の動作を説明するための図である。
【００３１】
ディザ法を用いて多階調化処理を行う映像信号処理回路と逆ガンマ補正回路とを備えたマトリクス型表示装置の全体構成は、図７で説明した通りである。図７はマトリクス型表示装置の全体構成の一例を示したものであり、この構成に限定されるものではない。映像信号処理回路１００によるディザ法を用いた信号処理と逆ガンマ補正回路２００による逆ガンマ補正処理は、図７の順でなくてもよく、また、同一ブロックにて同時に行うような構成であってもよい。なお、図１，図３，図５に示す本発明の映像信号処理回路と図９に示す映像信号処理回路とを区別するため、本発明の映像信号処理回路を１０１，１０２，１０３と称することとする。
【００３２】
なお、本発明において、図１，図３，図５で用いるディザパターンの例は、従来例で説明した図１０と同様である。また、図１，図３，図５中の階調別ディザ係数発生回路１５で階調群毎に設定するディザパターン内の個々のディザ係数の一例は、従来例で説明した図１１と同様である。そして、最終的に原信号に加算する２×２ドットのディザパターンにおける個々のディザ係数の決定方法の一例は、従来例で説明した図１０と同様である。従って、図１０〜図１２に関する説明は適宜省略する。
【００３３】
本発明が従来例と大きく異なるのは、上記の図１０〜図１２に関する基本的動作は同じであるが、有効画面内外にかかわらず、入力映像信号の階調として、零または零近傍の値が行方向に連続している場合には、または、ディザパターンのマトリクスを構成する区画内や複数の区画よりなる領域内の全てを零または零近傍の値が占めるような場合には、黒の再現性を高める機能が追加されている点である。以下、本発明の特徴である、黒の再現性を高める具体的構成の各実施例について詳細に説明する。
【００３４】
＜第１実施例＞
本発明の映像信号処理回路１０１は、図１に示すように構成される。図１において、ディザマトリクスパターン発生器１１は、一例として、ｎ×ｎドットのマトリクスからなるディザマトリクスパターン（以下、ディザパターン）を複数種類（ここでは、ｍ種類）発生する。なお、ここでは、ｍが３以上の如く図示しているが、ｍ＝２、即ち、２種類のディザパターンを発生するものであってもよい。ディザマトリクスパターン発生器１１は、ＲＯＭで構成してもよく、あるいは、ソフトウェアによって構成することもできる。
【００３５】
ここで、ディザマトリクスパターン発生器１１は、ディザ係数パターンそのもの、即ち、ディザパターン内の個々のディザ係数を発生するのではなく、ディザパターンの位置情報のみを発生している。さらに詳細には、ディザマトリクスパターン発生器１１は、図８におけるパネル３０１のドット３０２における１つの区画（マトリクス）に対して、いかなる位置関係でディザ係数を対応させるかを表すパターンを発生するものである。従って、このディザマトリクスパターン発生器１１の出力段の時点では、まだ、ディザパターン内の個々のディザ係数は決定されていない。
【００３６】
セレクタ１２は、ディザマトリクスパターン発生器１１からのｍ種類のディザパターンの１つを選択し、階調別ディザ係数発生回路１５に入力する。階調別ディザ係数発生回路１５，零近傍データ連続検出回路１６と加算器１３には、例えばデジタル変換された映像信号が入力される。
【００３７】
零近傍データ連続検出回路１６は、入力された映像信号（ドットデータそれぞれ）の階調を検出し、有効画面内外にかかわらず、入力映像信号の階調として、２ドット以上の予め設定したドット数だけ、零または予め設定している零近傍の値が連続しているかどうかを検出し、検出結果を階調別ディザ係数発生回路１５に入力する。第１実施例において、零近傍データ連続検出回路１６は、１つの行において、ドットデータの階調が、少なくとも２ドットの予め設定したドット数以上、予め設定した零近傍の値以下で連続したことを検出（判定）するものであり、この判定方法については、後述する。
【００３８】
階調別ディザ係数発生回路１５は、入力された映像信号の階調を検出し、予め設定した階調以下の映像信号についてさらに複数の階調群に分け、その階調群毎で共通に、ディザパターン内の個々のディザ係数を設定する。なお、複数の階調群としたが１つの階調群であってもよい。このとき、予め設定した階調以上では、ディザパターン内の個々のディザ係数を全て０として設定する。また、零近傍データ連続検出回路１６において、予め設定した零近傍以下の値が連続していると判定された場合にも、ディザパターン内の個々のディザ係数を全て零に置き換える。
【００３９】
そして、階調別ディザ係数発生回路１５は、セレクタ１２によって選択されたディザパターンと、入力された映像信号の階調群とに対応して、ディザパターン内の個々のディザ係数を決定する。階調別ディザ係数発生回路１５が発生したディザ係数は加算器１３に入力される。加算器１３は、入力された映像信号と階調別ディザ係数発生回路１５が発生したディザ係数とを加算し、リミッタ１４に入力する。リミッタ１４は、加算器１３の出力における原信号のビット数による値を超えた分（いわゆるアンダーフロー）を制限して出力する。なお、マトリクス型表示装置の階調能力に応じて、加算器１３の出力のビット（下位ビット）を制限して出力してもよい。
【００４０】
次に、零近傍データ連続検出回路１６において、零または予め設定している零近傍の値が連続しているかどうかを判定する方法について図２を用いて説明する。図２（Ａ）〜（Ｄ）における６個のデータは、図８におけるパネル３０１の第１行，第１〜６列の入力映像信号における個々のドットの階調を示した一例である。ここでは、簡略化のため、Ｒ，Ｇ，Ｂのうちのどれか１つの色のドットを例にして図示している。従って、実際には、Ｒ，Ｇ，Ｂ信号で３系統必要である。また、本発明の零近傍データ連続検出回路１６における動作は、図２における一例に限らず、パネル３０１内の他の位置や有効画面外においても全く同様である。
【００４１】
図２（Ａ）は、零近傍データ連続検出回路１６により、入力映像信号の階調として、第１行１列は２、第１行２列は３、第１行３列は５、第１行４列は４、第１行５列は５、第１行６列は６と検出された例である。図２（Ｂ）は、零近傍データ連続検出回路１６により、入力映像信号の階調として、第１行１列は０、第１行２列は６、第１行３列は０、第１行４列は５、第１行５列は０、第１行６列は４と検出された例である。図２（Ｃ）は、零近傍データ連続検出回路１６により、入力映像信号の階調として、第１行１列は０、第１行２列は２、第１行３列は０、第１行４列は０、第１行５列は１、第１行６列は０と検出された例である。図２（Ｄ）は、零近傍データ連続検出回路１６により、入力映像信号の階調として、第１行１列から第１行６列まで全て０と検出された例である。
【００４２】
図２の一例では、零近傍データ連続検出回路１６において、予め設定するドット数を３ドット、予め設定する零近傍の値を２、即ち、入力映像信号の階調が２以下の値が３ドット以上連続しているかどうかを判定する一例を示している。
【００４３】
図２（Ａ）では、第１行２列以降、入力映像信号の階調が３以上の値として検出されているため、零近傍データ連続検出回路１６における零近傍値連続データ判定結果は、０（連続していない）と判定される。図２（Ｂ）では、入力映像信号の階調が２以下の値（第１行１列の０等）があるものの、入力映像信号の階調が３以上の値と交互に検出されているため、零近傍データ連続検出回路１６における零近傍値連続データ判定結果は、０（連続していない）と判定される。
【００４４】
図２（Ｃ）では、第１行２列と第１行５列における入力映像信号の階調が０以外の値として検出されているものの、他のドットの階調が０と検出されているため、第１行１列から第１行６列まで全て階調２以下の値が連続していることになり、零近傍データ連続検出回路１６における零近傍値連続データ判定結果は、１（連続している）と判定される。図２（Ｄ）では、第１行１列から第１行６列まで全て階調０と検出されているため、零近傍データ連続検出回路１６における零近傍値連続データ判定結果は、１（連続している）と判定される。
【００４５】
以上の判定結果により、零近傍データ連続検出回路１６において、零近傍値連続データ判定結果が０と判定された場合には、階調別ディザ係数発生回路１５において、各ドット毎に、階調群に対応するディザパターン内の個々のディザ係数が図１０〜図１２で説明したように設定される。また、零近傍データ連続検出回路１６において、零近傍値連続データ判定結果が１と判定されている間は、階調別ディザ係数発生回路１５において、ディザパターン内の個々のディザ係数を全て零に置き換える。
【００４６】
即ち、零近傍データ連続検出回路１６によって、予め設定したドット数以上、予め設定した零近傍の値以下で連続したことが検出されたら、その零近傍の値以下で連続した範囲のドットそれぞれのドットデータに加算するディザ係数が、図１１（Ａ）に示すディザ係数の値ではなく、全て零とされる。
【００４７】
＜第２実施例＞
次に、図３に示す第２実施例について説明する。なお、図３において、図１と同一部分には同一符号を付し、その説明を適宜省略する。図３に示す映像信号処理回路１０２は、零近傍データ連続検出回路１６の代わりに区画内零近傍検出回路１７を設け、新たにラインメモリ１８を設けたものである。第１実施例の零近傍データ連続検出回路１６は、１つの行において、零近傍の値の複数ドットに渡る連続性を判定するものであるが、第２実施例の区画内零近傍検出回路１７は、複数の行にまたがる複数ドットより構成される区画内における零または零近傍の値の存在を判定するものである。
【００４８】
図３において、区画内零近傍検出回路１７とラインメモリ１８には、例えばデジタル変換された映像信号が入力される。ラインメモリ１８は、入力映像信号を１ライン分遅延して区画内零近傍検出回路１７に入力する。区画内零近傍検出回路１７は、入力映像信号（ドットデータそれぞれ）の階調と、ラインメモリ１８の出力（ドットデータそれぞれ）の階調を検出する。図３は、ｎ＝２、即ち、２×２ドットのディザパターンを加算する例を示しており、区画内零近傍検出回路１７で判別する区画も、パネル３０１のドット３０２における２×２ドットを１つの区画とする。
【００４９】
なお、ｎ＝３以上のディザパターンの場合には、ｎ−１個のラインメモリを用いて、入力映像信号と各ラインメモリの出力を区画内零近傍検出回路１７に入力し、ｎ×ｎドットの区画データにおける個々の階調を検出することにより、図３と同様な構成で実現できる。
【００５０】
区画内零近傍検出回路１７は、２×２ドットの区画内における個々のデータの階調が零または予め設定している零近傍の値が列方向及び行方向に連続しているかどうかを判定し、連続していない場合は０を、連続している場合は１を判定結果として階調別ディザ係数発生回路１５に入力する。この判定方法については、後述する。
【００５１】
階調別ディザ係数発生回路１５は、区画内零近傍検出回路１７における判定結果が０の場合には、区画内零近傍検出回路１７より入力された映像信号の階調を検出し、予め設定した階調以下の映像信号についてさらに複数の階調群に分け、その階調群毎で共通に、ディザパターン内の個々のディザ係数を設定する。なお、複数の階調群としたが１つの階調群であってもよい。このとき、予め設定した階調以上では、ディザパターン内の個々のディザ係数を全て０として設定する。また、区画内零近傍検出回路１７における判定結果が１の場合にも、ディザパターン内の個々のディザ係数を全て零に置き換える。
【００５２】
そして、階調別ディザ係数発生回路１５は、セレクタ１２によって選択されたディザパターンと、区画内零近傍検出回路１７より入力された映像信号の階調群とに対応して、ディザパターン内の個々のディザ係数を決定する。階調別ディザ係数発生回路１５が発生したディザ係数は加算器１３に入力される。加算器１３は、入力された映像信号と階調別ディザ係数発生回路１５が発生したディザ係数とを加算し、リミッタ１４に入力する。リミッタ１４は、加算器１３の出力における原信号のビット数による値を超えた分（いわゆるアンダーフロー）を制限して出力する。なお、マトリクス型表示装置の階調能力に応じて、加算器１３の出力のビット（下位ビット）を制限して出力してもよい。
【００５３】
次に、区画内零近傍検出回路１７において、零または予め設定している零近傍の値が連続しているかどうかを判定する方法について図４を用いて説明する。図４（Ａ）〜（Ｄ）における各区画内の４個のデータは、図８におけるパネル３０１の第１〜２行，第１〜２列の入力映像信号における個々のドットの階調を示した一例である。ここでは、簡略化のため、Ｒ，Ｇ，Ｂのうちのどれか１つの色のドットを例にして図示している。従って、実際には、Ｒ，Ｇ，Ｂ信号で３系統必要である。また、本発明の区画内零近傍検出回路１７における動作は、図４における一例に限らず、パネル３０１内の他の位置や有効画面外においても全く同様である。
【００５４】
図４（Ａ）は、区画内零近傍検出回路１７により、入力映像信号の階調として、第１行１列は３、第１行２列は５、第２行１列は２、第２行２列は４と検出された例である。図４（Ｂ）は、区画内零近傍検出回路１７により、入力映像信号の階調として、第１行１列は０、第１行２列は５、第２行１列は０、第２行２列は０と検出された例である。図４（Ｃ）は、区画内零近傍検出回路１７により、入力映像信号の階調として、第１行１列は０、第１行２列は０、第２行１列は１、第２行２列は０と検出された例である。図４（Ｄ）は、区画内零近傍検出回路１７により、入力映像信号の階調として、第１〜２行，第１〜２列の区画内の各ドットデータが全て０と検出された例である。
【００５５】
図４の一例では、区画内零近傍検出回路１７において、予め設定する零近傍の値を２、即ち、入力映像信号の階調が２以下の値が区画内全てにおいて連続しているかどうかを判定する一例を示している。
【００５６】
図４（Ａ）では、区画内の３個の入力映像信号の階調が３以上の値として検出されているため、区画内零近傍検出回路１７における区画内零近傍値連続データ判定結果は、０（連続していない）と判定される。図４（Ｂ）では、入力映像信号の階調が２以下の値（第１行１列の０等）があるものの、第１行２列において、入力映像信号の階調が３以上の値が検出されているため、区画内零近傍検出回路１７における区画内零近傍値連続データ判定結果は、０（連続していない）と判定される。
【００５７】
図４（Ｃ）では、第２行１列における入力映像信号の階調が０以外の値として検出されているものの、他のドットの階調が０と検出されているため、区画内のドットの階調が全て２以下の値として連続していることになり、区画内零近傍検出回路１７における区画内零近傍値連続データ判定結果は、１（連続している）と判定される。図４（Ｄ）では、第１〜２行，第１〜２列の区画内の各ドットデータが全て０と検出されているため、区画内零近傍検出回路１７における区画内零近傍値連続データ判定結果は、１（連続している）と判定される。
【００５８】
＜第３実施例＞
図５に示す第３実施例は、第２実施例を発展させたものであり、それぞれの区画内で、全てのドットデータの階調が、予め設定した零近傍の値以下であるか否かを検出すると共に、全てのドットデータの階調が予め設定した零近傍の値以下であることが検出された区画が予め設定した区画数以上連続したかどうかを検出（判定）するものである。第３実施例において、第１，第２実施例と同一部分の説明は適宜省略する。
【００５９】
図５に示す映像信号処理回路１０３は、図３の区画内零近傍検出回路１７の代わりに、２×２ドットの水平方向に隣接する３区画内におけるそれぞれのデータの階調が零または予め設定している零近傍の値として連続しているかどうかを判定する領域内零近傍検出回路１９を設けたものである。
【００６０】
図６は、領域内零近傍検出回路１９において、予め設定する零近傍の値を２、即ち、入力映像信号の階調として２以下の値が区画内全てにおいて連続しているかどうかを判定し、さらに、水平方向に隣接する３区画以上において、３区画内全てのドットの階調が２以下の値として連続しているかどうかを判定する一例を示している。領域内零近傍検出回路１９は、隣接区画間零近傍値連続判定結果として、連続していない場合は０を、連続している場合は１を判定結果として階調別ディザ係数発生回路１５に入力する。
【００６１】
階調別ディザ係数発生回路１５は、判定結果が１の場合、即ち、全てのドットデータの階調が予め設定した零近傍の値以下であることが検出された区画が、予め設定した区画数以上連続したことが検出されたら、その連続した区画数それぞれの区画内のドットデータに加算するディザ係数を全て零に置き換える。
【００６２】
図６（Ａ）は、領域内零近傍検出回路１９により、入力映像信号の階調として、第１〜２行，第１〜２列の区画内のａ１，ｂ１，ｃ１，ｄ１の値として３，５，２，４と検出され、第１〜２行，第３〜４列の区画内のａ２，ｂ２，ｃ２，ｄ２の値として６，４，５，３と検出され、第１〜２行，第５〜６列の区画内のａ３，ｂ３，ｃ３，ｄ３の値として３，２，４，１と検出された例である。図５（Ｂ）は、領域内零近傍検出回路１９により、入力映像信号の階調として、第１〜２行，第１〜２列の区画内のａ１，ｂ１，ｃ１，ｄ１の値として０，０，０，０と検出され、第１〜２行，第３〜４列の区画内のａ２，ｂ２，ｃ２，ｄ２の値として５，４，４，５と検出され、第１〜２行，第５〜６列の区画内のａ３，ｂ３，ｃ３，ｄ３の値として０，０，０，０と検出された例である。
【００６３】
図６（Ｃ）は、領域内零近傍検出回路１９により、入力映像信号の階調として、第１〜２行，第１〜２列の区画内のａ１，ｂ１，ｃ１，ｄ１の値として０，０，１，０と検出され、第１〜２行，第３〜４列の区画内のａ２，ｂ２，ｃ２，ｄ２の値として０，１，０，０と検出され、第１〜２行，第５〜６列の区画内のａ３，ｂ３，ｃ３，ｄ３の値として０，０，２，０と検出された例である。図５（Ｄ）は、領域内零近傍検出回路１９により、入力映像信号の階調として、第１〜２行，第１〜６列の３区画内の各ドットデータが全て０と検出された例である。
【００６４】
図６（Ａ）では、３区画共に、複数の入力映像信号の階調が３以上の値として検出されているため、領域内零近傍検出回路１９における隣接区画間零近傍値連続判定結果は、０（連続していない）と判定される。図６（Ｂ）では、第１〜２行，第１〜２列の区画と第１〜２行，第５〜６列の区画では、入力映像信号の階調が全て零となっているが、第１〜２行，第３〜４列の区画において、入力映像信号の階調が３以上として検出されているため、領域内零近傍検出回路１９における隣接区画間零近傍値連続判定結果は、０（連続していない）と判定される。
【００６５】
図６（Ｃ）では、３区画共に、区画内の入力映像信号の階調として０以外の値が含まれているものの全て２以下であり、他のドットの階調も０と検出されているため、各区画内のドットの階調が全て２以下の値として連続しており、かつ、水平方向に隣接する３区画全てのドットの階調が２以下の値として連続しているいることになり、領域内零近傍検出回路１９における隣接区画間零近傍値連続判定結果は、１（連続している）と判定される。図６（Ｄ）では、第１〜２行，第１〜６列の３区画内の各ドットデータが全て０と検出されているため、領域内零近傍検出回路１９における隣接区画間零近傍値連続判定結果は、１（連続している）と判定される。
【００６６】
以上説明した第１〜第３実施例において、予め設定する零近傍の値、予め設定する連続ドット数や連続区画数については、映像信号をＰＤＰ３００に表示した際の画質を見ながら、適切な設定値を適宜選択すればよい。図１，図３，図５のような回路構成にすることにより、例えば、アスペクト比１６：９のＰＤＰにアスペクト比４：３の映像を表示する場合では、両サイドのマスクされた無信号部がディザに起因するノイズ混じりのように見えてしまう現象を解消することができる。また、マスクされた無信号部だけでなく、有効画面内においても、黒近傍の値が連続する暗い画像の領域を含む場面におけるノイズ感をなくすことができ、高画質な表示が可能となる。
【００６７】
さらに、本発明においては、零近傍値のドットデータが連続しているときのみ、ディザ重畳を実質的に停止してノイズ感をなくしているので、零近傍値より上の微少な値が混在している場合には、ディザが適応的に重畳され、階調の連続性を向上させることができるため、黒の再現性を高めることができると共に、全体的に低輝度な画面における目立ちやすい疑似輪郭状の画質妨害を効果的に低減することができる。
【００６８】
本実施例では、図７のマトリクス型表示装置の全体構成の一例に基づいて説明したが、本発明は、図７の構成に限定されるものではない。例えば、図１，図３，図５に示す映像信号処理回路１０１，１０２，１０３が、逆ガンマ補正回路２００の後段に構成されていても同様の効果がある。零近傍データ連続検出回路１６，区画内零近傍検出回路１７，領域内零近傍検出回路１９において予め設定する零近傍の値を適切な値に設定すればよい。
【００６９】
なお、本発明で言う“連続”とは、水平方向の連続に限定されるものではなく、垂直方向の連続も含むものである。垂直方向の連続性を検出する場合には、ラインメモリ等の回路構成を適宜変更すればよい。
【００７０】
【発明の効果】
以上詳細に説明したように、本発明のマトリクス型表示装置の映像信号処理回路及び方法は、映像信号のドットデータの階調が、予め設定した零近傍の値以下で、予め設定したドット数以上連続したことが検出されたら、その零近傍の値以下で連続した範囲のドットそれぞれのドットデータに加算するディザ係数を全て零としたり、区画内の全てのドットデータの階調が前記予め設定した零近傍の値以下であることが検出されたら、区画内のそれぞれのドットデータに加算するディザ係数を全て零としたり、全てのドットデータの階調が予め設定した零近傍の値以下であることが検出された区画が予め設定した区画数以上連続したことが検出されたら、その連続した区画数それぞれの区画内のドットデータに加算するディザ係数を全て零とするようにした。これにより、階調特性を適応的に滑らかにして階調の連続性を向上させ、全体的に低輝度な画面における目立ちやすい疑似輪郭状の画質妨害を効果的に低減することができると共に、映像信号の階調として零または零近傍の値が連続している場合であっても、ノイズ感や黒浮きをなくすことができ、黒の再現性を高めることができる。
【図面の簡単な説明】
【図１】本発明の第１実施例を示すブロック図である。
【図２】図１中の零近傍データ連続検出回路１６の動作を説明するための図である。
【図３】本発明の第２実施例を示すブロック図である。
【図４】図３中の区画内零近傍検出回路１７の動作を説明するための図である。
【図５】本発明の第３実施例を示すブロック図である。
【図６】図５中の領域内零近傍検出回路１９の動作を説明するための図である。
【図７】マトリクス型表示装置の全体構成の一例を示すブロック図である。
【図８】マトリクス型表示装置における画素とディザ係数との対応を説明するための図である。
【図９】従来例を示すブロック図である。
【図１０】従来用いていたディザパターンの一例を示す図である。
【図１１】図１０に示すディザパターンを２周期単位で規則的に巡回させて切り換えて用いる場合の一例を示す図である。
【図１２】従来例による最終的に加算するディザパターンの決定方法を説明するための図である。
【符号の説明】
１１  ディザマトリクスパターン発生器
１２  セレクタ
１３  加算器
１４  リミッタ
１５  階調別ディザ係数発生回路
１６  零近傍データ連続検出回路
１７  区画内零近傍検出回路
１８  ラインメモリ
１９  領域内零近傍検出回路
【図１】
0003625192.tif 000002
【図２】
0003625192.tif 000003
【図３】
0003625192.tif 000004
【図４】
0003625192.tif 000005
【図５】
0003625192.tif 000006
【図６】
0003625192.tif 000007
【図７】
0003625192.tif 000008
【図８】
0003625192.tif 000009
【図９】
0003625192.tif 000010
【図１０】
0003625192.tif 000011
【図１１】
0003625192.tif 000012
【図１２】
0003625192.tif 000013